(57)【要約】【課題】  毛髪の向きや毛量を容易に調整して植毛を可能とするかつらベースを提供する。【解決手段】  毛髪を植毛するネット地２０からなるかつらベース１０であって、ネット地２０は、大きさの異なる略円形の網目の組合せによって形成される。【選択図】    図１
2015117440.tif 000002
【特許請求の範囲】
【請求項１】
毛髪を植毛するネット地からなるかつらベースであって、
前記ネット地は、大きさの異なる略円形の網目の組合せによって形成された
ことを特徴とするかつらベース。
【請求項２】
前記ネット地は、
大きさの異なる略円形の網目の組合せにより構成されるユニットが連なって形成された
ことを特徴とする請求項１記載のかつらベース。
【請求項３】
前記各ユニットにおける網目を選択することにより、前記ネット地の全体の毛量を調整できる
ことを特徴とする請求項２記載のかつらベース。
【請求項４】
前記ユニットにおける網目の円は互いに交差しない
ことを特徴とする請求項２又は３記載のかつらベース。
【請求項５】
前記ユニットが、第一の円の網目と前記第一の円より小さい第二の円の網目の組合せにより構成され、
前記第一の円は、前記ユニットの内側の上部、下部、左部、及び右部に配置され、
前記第二の円は、前記ユニットの内側の右上部、右下部、左上部、及び左下部並びに中心部に配置された
ことを特徴とする請求項２〜４のいずれか一項記載のかつらベース。
【請求項６】
前記ネット地は、複数本のフィラメントにより形成され、
前記複数本のフィラメントは、
前記複数本のうちの所定本数のフィラメントに結着させた毛髪が当該フィラメント上を移動しないように撚り合わされてなる
ことを特徴とする請求項１〜５のいずれか一項記載のかつらベース。
【発明の詳細な説明】
【技術分野】
【０００１】
本発明は、ネット地からなるかつらベースに関し、特に、特有の網目構造を有するネット地からなるかつらベースに関する。
【背景技術】
【０００２】
一般に、かつらは、人の頭部の表面を覆うように形成されたかつらベースの外面に、人毛や人工毛などの毛髪を植毛することにより製造される。
このようなかつらベースには、例えば、フィラメントを網目状に編み込んだネット地を用いたものが知られている（特許文献１〜７参照）。
【０００３】
特許文献１（図１，図３）や特許文献２（図５）には、六角形状や長方形状の網目のネット地を有するかつらベースが開示されている。
特許文献１に記載のかつらベースは、様々な大きさの網目を有するものとして製造できるため、植毛する網目の大きさを選択することによって毛量を調整することができる。
また、特許文献３には、大メッシュ開口部を有する毛疎植ベース部と小メッシュ開口部を有する毛密植ベース部を備えたかつらベースが開示されており、毛疎植ベース部又は毛密植ベース部のうち、植毛する網目を任意に選択することによって毛量を調整することができるようになっている。
【０００４】
特許文献４〜７には、毛髪の流れを自然に表現することができるかつらベースが開示されている。
具体的には、特許文献４〜６には、円弧状の網目を有するネット地からなるかつらベースが開示されている。
また、特許文献７には、二本の糸状部材を適当にねじることにより、複数個の輪状部を一列の連環状にした帯状部材を備え、各輪状部に毛を取り付けることで生成されたみの毛が開示されている。
【先行技術文献】
【特許文献】
【０００５】
【特許文献１】実開平４−１２７２１６号公報
【特許文献２】特開平９−３２４３１７号公報
【特許文献３】実用新案登録第３０１９２３１号公報
【特許文献４】特許第５３１２９８１号公報
【特許文献５】実用新案登録第２５７１９４０号公報
【特許文献６】特開２００７−２４７０７８号公報
【特許文献７】特公平７−７２３６１号公報
【発明の概要】
【発明が解決しようとする課題】
【０００６】
しかしながら、特許文献１〜７に開示されているかつらベースは、以下の点で問題があった。
特許文献１〜３に開示されているかつらベースは、網目の形状が長方形や六角形であるため、同一辺に複数本の植毛を行った場合、各毛髪は同じ方向（辺の直角方向）に流れる。
このため、一方向にまとまった毛量の毛髪を提供することはできても、毛髪の方向調整が難しく、毛髪の自然な流れを出すことができないという問題があった。
また、特許文献４〜６に開示されているかつらベースは、網目の形状が円弧状であるため、毛髪が同じ方向に流れる問題は生じないが、円形ではないため全方向を完全にカバーすることができない。
また、特許文献７に開示されているかつらベースは、網目の形状が円形であるため、毛髪を任意の方向に向けることができるが、同じ大きさの円を単に繰り返し配置しているだけなので、毛量の微調整が困難であった。
【０００７】
本発明は、上記の事情にかんがみなされたものであり、毛髪の向きや毛量を容易に調整することが可能なかつらベースの提供を目的とする。
【課題を解決するための手段】
【０００８】
この目的を達成するため、本発明のかつらベースは、毛髪を植毛するネット地からなり、ネット地は、大きさの異なる略円形の網目の組合せによって形成するようにしている。
【発明の効果】
【０００９】
本発明のかつらベースによれば、毛髪の向きや毛量を容易に調整することができる。
【図面の簡単な説明】
【００１０】
【図１】本発明の実施形態に係るかつらベースの平面図である。
【図２】本発明の実施形態に係るかつらベースの斜視図である。
【図３】本発明の実施形態に係るかつらベースのネット地におけるユニットを模式的に示す図である。
【図４】図３のユニットの構成を示す図である。
【図５】曲率の異なる円を重ねた場合における毛髪の向きを示す図である。
【図６】曲率の異なる円を隣接させた場合における毛髪の向きを示す図である。
【図７】本発明の実施形態のかつらベースをなすネット地のフィラメントを示す図である。
【図８】ユニットの他の構成を示す図である。
【図９】実際に製造したかつらベースの写真を示す図である。
【発明を実施するための形態】
【００１１】
以下、本発明に係るかつらベースの実施形態について、図面を参照して説明する。
図１は、本発明の実施形態に係るかつらベースの平面図である。図２は、本発明の実施形態に係るかつらベースの斜視図である。
【００１２】
図１及び図２に示すように、本実施形態に係るかつらベース１０は、毛髪を植毛するネット地２０からなり、このネット地２０が、大きさの異なる略円形の網目の組合せによって形成される。
これらの図に示すように、本実施形態に係るネット地２０は、かつら装着者の頭頂部を覆うようにネット地２０が湾曲して形成されている。
ネット地２０は、複数のフィラメント４０を撚り合わせたものをコンピュータ制御の編機に編み込ませて製作する。
例えば、網目の形状として円形のデザインデータを編機に入力することによって、予めセットされたフィラメント４０を自動的に編み込んで円形の網目のネット地２０を製作するようになっている。
フィラメント４０は、例えば、ポリエステル、ナイロン、ポリウレタン（スパンデックス）などの合成樹脂や、綿、絹、麻、羊毛、カシミヤなどの天然繊維を、原材料として用いることができる。
【００１３】
かつらベース１０の製作では、まず、かつら装着者の頭型を作る。例えば、石膏を用いて頭型を作ったり、加熱軟化させた合成樹脂シートを頭部に押し当てた後、硬化させて頭型を作ったり、３Ｄスキャナを用いて撮影した頭部の三次元画像に基づいて頭型を作る方法がある。
そして、製作した頭型の上にネット地２０を被せ、鋲などで固定した後、ヒーター等で加熱成型し、不要な部分を切除等することでかつらベース１０が完成する。
【００１４】
なお、本実施形態のかつらベース１０は、ネット地２０の周縁に、目の細かな六角形状の網目からなるサブネット地５０を備え、かつら装着者の額部や側頭部に配置するようにしている（図１，図２参照）。
このように、網目の細かなサブネット地５０を、ネット地２０と組み合わせることによって、頭部及び側頭部における頭髪密度を増加させ、定型性を高めることができる。
また、本実施形態のかつらベース１０は、頭頂部用の部分かつら（ウィッグ）用のものとして提供されるが、頭部全体を覆うようにネット地２０を成形することで、全頭用のかつらベース１０として提供することもできる。
また、ポリウレタンシートなどの人工皮膚を頭頂部用として備えるとともに、人工皮膚の周縁の全部又は一部に側頭部用のネット地２０を備える等、ネット地２０と他の素材を組み合わせたかつらベース１０を製作することもできる。
【００１５】
図３は、かつらベースのネット地におけるユニットを模式的に示す図である。図４は、図３のユニットの構成を示す図である。
図１〜図４に示すように、本実施形態のかつらベース１０は、大きさの異なる略円形の網目の組合せにより構成されるユニット３０が連なって形成される。
図３及び図４に示すように、１つのユニット３０は、４個の円（中）Ｍ（第一の円）と、５個の円（小）Ｓ（第一の円より小さい第二の円）と、が組み合わされて構成され、ユニット３０が上下左右に連続的に配列される。
【００１６】
より具体的には、円（中）Ｍは、ユニット３０の内側の上部、下部、左部、及び右部に配置するようにしている。
また、円（中）Ｍは、他の円（中）Ｍや円（小）Ｓとは交差しないように配置される。
さらに、ユニット３０において、１つの円（中）Ｍは、隣接する他の２つの円（中）Ｍと外接するように配置している（図４（ａ），（ｂ）参照）。
【００１７】
円（小）Ｓは、ユニット３０の内側の右上部、右下部、左上部、及び左下部並びに中心部に配置するようにしている。
また、円（小）Ｓは、他の円（小）Ｓや円（中）Ｍとは交差しないように配置される。
さらに、ユニット３０において、中心部の円（小）Ｓが、４つの円（中）Ｍに囲まれ、他の４つの円（小）Ｓが、隣接する２つの円（中）Ｍと外接するように配置している（図４（ａ），（ｂ），（ｃ）参照）。
【００１８】
ネット地２０は、図１〜３に示すように、各ユニット３０が、上側、下側、左側、右側に連続して配列されることによって形成される。  このようなネット地２０によれば、各網目が円によって形成されていることから、植毛の際、毛髪をあらゆる方向に向けることができる。
また、大きさの異なる複数の円を組み合わせたユニット３０を連続して配列しているため、毛髪方向の微調整が可能となる。
このような本実施形態に係るかつらベース１０に特有の効果について、以下、詳細に説明する。
【００１９】
本実施形態のかつらベースによる毛髪の方向調整に関する効果について説明する。
かつらベース１０に対する植毛は、植毛する毛髪を二つ折りにしてループを作り、このループに毛髪の自由端を通す、所謂ひばり結びにより、任意の網目（フィラメント４０）に結び付けて行う（図７参照）。
このため、フィラメント４０に結着された毛髪は、フィラメント４０の向きと直角方向に流れる。
【００２０】
本実施形態のユニット３０は、曲率の異なる略円形の網目の組合せによって構成される。
なお、「曲率」とは、曲線や曲面の曲がり具合を表す量である。例えば、半径ｒの円周の曲率は１／ｒであり、曲率が大きいほど曲がり具合がきつくなる。
【００２１】
図５は、曲率の異なる円を重ねた場合における毛髪の向きを示す図である。具体的には、曲率の異なる円（中）Ｍと円（小）Ｓを重ねたときの毛髪の向きを示す。
同図に示すように、各円に結着させた毛髪は、それぞれ円の半径方向（放射方向）に流れ、毛髪の向きにズレが生ずる。
このため、毛髪の流れが不揃いとなって、自然な外観を得ることができる。
特に、隣接する円の曲率差が大きければ、その分、植毛箇所が近似する位置における毛髪の向きの差も大きくなり交差し易くなるため、毛髪にボリューム感を出すことができる。
【００２２】
図６は、曲率の異なる円を隣接させた場合における毛髪の向きを示す図である。具体的には、曲率の異なる円（中）Ｍと円（小）Ｓとを隣接させたときの毛髪の向きを示す。
同図に示すように、曲率の異なる各円に結着させた毛髪は、それぞれの毛髪が重なって、自然な外観を得ることができる。
また、毛髪が互いに交差して支え合うことにより、ボリューム感を出すことができる。
【００２３】
各円の大きさは、任意に設定することができる。
例えば、各円の直径は、円（中）Ｍについては３〜２０ｍｍの範囲、円（小）Ｓについては２〜１０ｍｍの範囲で、それぞれ設定することができる。この場合、ユニット３０の大きさは６〜７０ｍｍの範囲とすることができる。
また、各円及びユニット３０の直径比率も任意で設定することができる。例えば、円（中）Ｍ：円（小）Ｓ：ユニット３０＝２：１：７とすることができる。
【００２４】
本実施形態のかつらベース１０では、植毛が網目の円周に沿って行われることから、網目当たりの毛量を、円の大きさにおおむね比例させることができる。
また、ユニット３０における網目の円は互いに交差しないようにしている。
このため、ネット地２０の全体に一様に配列されたユニット３０を構成する円のうち、円（中）Ｍ、円（小）Ｓのいずれの円を植毛対象として選択するかによって求まるユニット単位での毛量に基づき、ネット地２０の全体の毛量を調整することができる。
【００２５】
具体的には、選択した円の直径とその数量を毛量の指標値として毛量の調整に用いることができる。
例えば、円（中）Ｍ、円（小）Ｓの直径が、それぞれ６ｍｍ、３ｍｍである場合に、ユニット３０を構成する円（円（中）Ｍ：４個、円（小）Ｓ：５個）をすべて選択した場合の指標値は、６（ｍｍ）×４（個）＋３（ｍｍ）×５（個）＝３９となる。
つまり、この指標値（３９）は、１ユニット当たりの毛量のうち最多の毛量を示す指標値である。
【００２６】
ここで、例えば、ユニット３０内の上下（２個）の円（中）Ｍと、すべて（５個）の円（小）Ｓを選択した場合の指標値は、６（ｍｍ）×２（個）＋３（ｍｍ）×５（個）＝２７となる。
このため、全体として７０％程度（２７／３９）の毛量としたい場合には、ユニット３０内の２個の円（中）Ｍとすべての円（小）Ｓを選択し、これをすべての網目に展開して植毛することによって、容易に行うことができる。
【００２７】
図７は、本実施形態のかつらベースをなすネット地のフィラメントを示す図である。
図７に示すように、ネット地２０は、複数本（例えば、２本）のフィラメント４０を撚り合わせており、その内の所定本数（例えば、１本）に対してのみ、毛髪を結着するようにしている。
フィラメント４０に結着された毛髪は、その結着部が、フィラメント４０同士が交差する箇所において移動が阻まれるため、フィラメント４０上を左右（矢印方向）に移動しないようになっている。
したがって、このようなフィラメント４０からなるネット地２０によれば、上述した毛髪の結着方法によって、植毛させた毛髪の位置を安定的に維持することができ、毛髪の流れや毛量の調整を適切に行うことができる。
【００２８】
以上、本発明のかつらベース１０の好ましい実施形態について説明したが、本発明のかつらベース１０は上記実施形態にのみ限定されるものではなく、本発明の範囲で種々の変更実施が可能であることは言うまでもない。
例えば、ユニット３０は、異なる大きさの円を様々な態様で組み合わせて構成することが可能であり、図８（ａ）に示すように、５個の円（中）Ｍと４個の円（小）Ｓによって構成したり、図８（ｂ）に示すように、６個の円（中）Ｍと６個の円（小）Ｓによって構成したりすることができる。
【００２９】
また、図示していないが、円（中）Ｍの中に円（小）を重ねるなど、大きさの異なる円同士を交差しないように重ねるように配置してユニット３０を構成することもできる。
さらに、円（中）Ｍより大きい円や、円（小）Ｓよりも小さい円を加えてユニット３０を構成することもできる。
すなわち、このような様々な態様のユニット３０からなるネット地２０を用いて、毛髪の向きや毛量の調整が容易なかつらベース１０を製作することが可能である。
【００３０】
図９は、実際に製造したかつらベースの写真を示す図である。
図９に示すかつらベース１０は、図１〜２に示すかつらベース１０とは、円の直径が異なる。
このように、本発明のかつらベース１０は、ユニット３０を構成する各円の大きさを任意に設定して製作することができる。
【産業上の利用可能性】
【００３１】
本発明は、毛髪の流れや毛量の調整が可能なかつらベースを提供する場合に、好適に利用することが可能である。
【符号の説明】
【００３２】
１０  かつらベース
２０  ネット地
３０  ユニット
４０  フィラメント
５０  サブネット地
Ｍ  円（中）
Ｓ  円（小）
【図１】
2015117440.tif 000003
【図２】
2015117440.tif 000004
【図３】
2015117440.tif 000005
【図４】
2015117440.tif 000006
【図５】
2015117440.tif 000007
【図６】
2015117440.tif 000008
【図７】
2015117440.tif 000009
【図８】
2015117440.tif 000010
【図９】
2015117440.tif 000011